(57)【特許請求の範囲】
【請求項１】
透湿性を備えるシート状の基材部の表面側に装飾的外観を持つ化粧材部を塗装又は接着させてなり、建築物における任意の表面部位に複数枚貼付して当該表面部位を仕上げるための表装材であって、
前記化粧材部は矩形の平面形状を有し、前記基材部は隣接する２辺Ａ、Ａ’では化粧材部と端縁を揃えると共に他の隣接する２辺Ｂ、Ｂ’では重ね代部が張出した大きさを持ち、基材部の裏面側における２辺Ａ、Ａ’の端縁又はその近傍に沿って粘着材層を形成した粘着材部と、この粘着材部を覆うように離型紙を貼付した離型紙部とを備え、かつ前記重ね代部には、該重ね代部のうち施工時において目地部となるべき部分を避けて、少なくともワッシャ併用型のアンカーピンであり又は扁平なヘッドを備えるアンカーピンである表装材固定用具の打ち込み予定部をカバーする範囲に１枚又は２枚以上の補強用シートを積層接着させたことを特徴とする表装材。
【請求項２】
前記表装材の重ね代部において、その裏面側には前記補強用シートを積層接着させ、その表面側には請求項１に記載した前記粘着材部と重ね合わすこととなる部位に粘着材層を形成した粘着材部を設け、かつ、この粘着材部を覆うように離型紙を貼付したことを特徴とする請求項１に記載の表装材。
【請求項３】
前記基材部が、化粧材部と合致する大きさの基材部本体と、この基材部本体を構成するシート材に対して別貼りのシート材を接着させることにより構成される重ね代部とからなるものであることを特徴とする請求項１又は請求項２に記載の表装材。
【請求項４】
下記（１）〜（３）のいずれかに記載の表装材セット。
（１）請求項３に記載の表装材における、前記別貼りのシート材と、この別貼りのシート材が未だ接着されていない状態にある前記表装材とからなる表装材セット。
（２）請求項１〜請求項３のいずれかに記載の表装材における、前記補強用シートと、この補強用シートが未だ積層接着されていない状態にある前記表装材とからなる表装材セット。
（３）請求項３に記載の表装材における、前記別貼りのシート材と、前記補強用シートと、これらの別貼りのシート材及び補強用シートが未だ接着あるいは積層接着されていない状態にある前記表装材とからなる表装材セット。
【請求項５】
建築物における任意の表面部位に、請求項１〜請求項３のいずれかに記載の表装材を複数枚、所望の目地幅を開けながら貼付して表面仕上げを行う仕上げ方法であって、下記（ａ）〜（ｄ）の工程を含むことを特徴とする表面仕上げ方法。
（ａ）離型紙を剥がした第１の表装材を建築物の表面部位に接着材を用いて貼付し、その重ね代部の補強用シート積層部の適部にアンカーピンを打ち込んで表装材を固定した後、
（ｂ）第１の表装材の２辺Ｂ、Ｂ’のそれぞれの重ね代部上に第２の表装材の離型紙で保護された粘着材部を重ねる状態で、これらの第２の表装材を上記の目地設定のもとに接着材を用いて貼付し、
（ｃ）次いで第２の表装材の離型紙を剥がして、その粘着材部を第１の表装材の重ね代部に接着すると共に、第１の表装材における上記の固定具打ち込み部を第２の表装材の化粧材部で覆い、
（ｄ）これらの第２の表装材の重ね代部の補強用シート積層部に前記固定用具を打ち込んでこれらの表装材を固定する。
【請求項６】
前記アンカーピンが、押さえワッシャを併用するタイプ又は扁平なヘッドを備えるタイプの機械式定着型又は樹脂定着型のアンカーピンであることを特徴とする請求項５に記載の表面仕上げ方法。
【請求項７】
前記建築物の表面部位が垂直面又は傾斜面である場合において、その表面部位の右側下方あるいは左側下方の隅部に、前記第１の表装材をその２辺Ａ、Ａ’が隅部の２辺上に位置するように貼付して前記（ａ）の工程を行うことを特徴とする請求項５又は請求項６に記載の表面仕上げ方法。
【請求項８】
前記建築物の表面部位にモルタルないしモルタルを含む仕上げ材からなる既存の仕上げ層が存在する場合において、表装材に対するアンカーピンの打ち込み部位の数を前記仕上げ層の厚さの増大に応じて増やすことを特徴とする請求項５〜請求項７のいずれかに記載の表面仕上げ方法。
【請求項９】
前記建築物の表面部位の仕上げが、建築物の表面部位に既存の仕上げ層が存在し、かつ劣化した表面部位を含む改修であることを特徴とする請求項５〜請求項８のいずれかに記載の表面仕上げ方法。
【発明の詳細な説明】
【技術分野】
【０００１】
この発明は、建築物の内外壁表面，床面等の任意の表面部位へ適用される表装材と、この表装材を利用する表面仕上げ方法関する。
【背景技術】
【０００２】
従来、シート状の表装材としては、建築物の内装用壁紙があるが、これは、屋外に用いた時の耐久性を考慮したものとなっていない。
【０００３】
【特許文献１】特開昭５９−１０６６６０号公報  上記の特許文献１に記載された発明は、建築物の外部表面への適用を考えた表装材であるが、模造タイル状とするために、網目基材を下地板に埋め込む形で、異種または異色の塗装材により下地板と模造タイル面を形成するものであり、またその施工方法についてはほとんど触れられていなかった。
【０００４】
【特許文献２】特開昭６３−１２５３３２号公報  上記の特許文献２に記載された発明は、単に繊維状シート（防燃性部材）上に水性弾性塗料を用いた防水層と化粧用塗料による化粧層の組み合わせに過ぎなかった。
【０００５】
【特許文献３】特願平２−１９９４５６号の明細書及び図面  一方、本件出願人は、上記の特許文献３において、これらの点を改良する新規な表装材と、これを用いた仕上げ方法の発明を提案している。しかし、特許文献３において提案された発明は、外壁外装面に適用しうる表装材を選定し、シート間のジョイントを考慮した上での防水性や納まりについては解決しているものの、下地に対する接着力については、辺部において粘着材に頼ることになり、充分な強さを発現できない場合もあった。
【０００６】
【特許文献４】特公平７−５９８４１号公報
【特許文献５】特公平７−６８７４６号公報  更に、本件出願人は、上記の特許文献４及び特許文献５において、シート（表装材）間のジョイントからなる防水性や納まりについて十分考慮した上で、なおかつ多種多様な下地に対する接着力を考慮した表装材と、この表装材を利用した仕上げ方法の発明を提案している。
【０００７】
特許文献４及び特許文献５に開示された発明では、表装材を下地に対して強く固定するために、好適な形態のアンカーピンないし釘等の固定用金具を併用している。又、この発明に用いられる表装材は、特許文献３においても説明したが、シートを概ね矩形とし、その隣接する２辺には目地部を兼ねた重ね合わせ部を有し、他の２辺の裏面には、粘着材を塗布したものとなっている。
【発明の開示】
【発明が解決しようとする課題】
【０００８】
しかしながら、建築物の内外壁表面、床面等の任意の表面部位への表装材の適用に当たっては、表装材の接着力を更に向上させ、より確実に下地に固定させて、表装材の落下、剥離の面からの安全性を高めることが望まれる。
【０００９】
更に、タイル、モルタル等で既に表装され、かつその表装がある程度劣化した建築物表面部位の改修等においては、下地であるタイルやモルタル等の部分的な浮きや剥落等の不具合を十分に防止できる表面仕上げとするためには、表装材の相互の接着力と下地への固定力が十分に大きくなければならない。
【００１０】
そこで本発明は、このような表面仕上げを可能とする表装材及び表面仕上げ方法を提供することを、解決すべき課題とする。更に本発明は、このような表装材及び表面仕上げ方法において、好ましい防水性、透湿性、外観等を確保することをも、解決すべき課題とする。
【課題を解決するための手段】
【００１１】
（第１発明）
上記課題を解決するための本願第１発明の構成は、シート状の基材部の表面側に装飾的外観を持つ化粧材部を塗装又は接着させてなり、建築物における任意の表面部位に複数枚貼付して当該表面部位を仕上げるための表装材であって、
前記化粧材部は矩形の平面形状を有し、前記基材部は隣接する２辺Ａ、Ａ’では化粧材部と端縁を揃えると共に他の隣接する２辺Ｂ、Ｂ’では重ね代部が張出した大きさを持ち、基材部の裏面側における２辺Ａ、Ａ’の端縁又はその近傍に沿って粘着材層を形成した粘着材部と、この粘着材部を覆うように離型紙を貼付した離型紙部とを備え、かつ前記重ね代部には、少なくとも表装材固定用具の打ち込み予定部をカバーする範囲に１枚又は２枚以上の補強用シートを積層接着させた、表装材である。
【００１２】
（第２発明）
上記課題を解決するための本願第２発明の構成は、前記第１発明に係る補強用シートを、重ね代部のうち施工時において目地部となるべき部分を避けて積層接着させた、表装材である。
【００１３】
（第３発明）
上記課題を解決するための本願第３発明の構成は、前記第１発明又は第２発明に係る表装材の重ね代部において、その裏面側には前記補強用シートを積層接着させ、その表面側には第１発明に記載した前記粘着材部と重ね合わすこととなる部位に粘着材層を形成した粘着材部を設け、かつ、この粘着材部を覆うように離型紙を貼付した、表装材である。
【００１４】
（第４発明）
上記課題を解決するための本願第４発明の構成は、前記第１発明〜第３発明のいずれかに係る基材部が、化粧材部と合致する大きさの基材部本体と、この基材部本体を構成するシート材に対して別貼りのシート材を接着させることにより構成される重ね代部とからなるものである、表装材である。
【００１５】
（第５発明）
上記課題を解決するための本願第５発明の構成は、下記（１）〜（３）のいずれかに記載の表装材セットである。
（１）第４発明に記載の表装材における、前記別貼りのシート材と、この別貼りのシート材が未だ接着されていない状態にある前記表装材とからなる表装材セット。
（２）第１発明〜第４発明のいずれかに記載の表装材における、前記補強用シートと、この補強用シートが未だ積層接着されていない状態にある前記表装材とからなる表装材セット。
（３）第１発明〜第４発明のいずれかに記載の表装材における、前記別貼りのシート材と、前記補強用シートと、これらの別貼りのシート材及び補強用シートが未だ接着あるいは積層接着されていない状態にある前記表装材とからなる表装材セット。
【００１６】
（第６発明）
上記課題を解決するための本願第６発明の構成は、建築物における任意の表面部位に、第１発明〜第４発明のいずれかに記載の表装材を複数枚、所望の目地幅を開けながら、又は目地幅をとらずに貼付して表面仕上げを行う仕上げ方法であって、下記の（ａ）〜（ｄ）の工程を含む、表面仕上げ方法である。
（ａ）離型紙を剥がした第１の表装材を建築物の表面部位に接着材を用いて貼付し、その重ね代部の補強用シート積層部にアンカーピンを打ち込んで表装材を固定した後、
（ｂ）第１の表装材の２辺Ｂ、Ｂ’のそれぞれの重ね代部上に第２の表装材の離型紙で保護された粘着材部を重ねる状態で、これらの第２の表装材を上記の目地設定のもとに接着材を用いて貼付し、
（ｃ）次いで第２の表装材の離型紙を剥がして、その粘着材部を第１の表装材の重ね代部に接着すると共に、第１の表装材における上記の固定具打ち込み部を第２の表装材の化粧材部で覆い、
（ｄ）これらの第２の表装材の重ね代部の補強用シート積層部に前記固定用具を打ち込んでこれらの表装材を固定する。
【００１７】
（第７発明）
上記課題を解決するための本願第７発明の構成は、前記第６発明に係るアンカーピンが、押さえワッシャを併用するタイプ又は扁平なヘッドを備えるタイプの機械式定着型又は樹脂定着型のアンカーピンである、表面仕上げ方法である。
【００１８】
（第８発明）
上記課題を解決するための本願第８発明の構成は、前記第６発明又は第７発明に係る建築物の表面部位が垂直面又は傾斜面である場合において、その表面部位の右側下方あるいは左側下方の隅部に、前記第１の表装材をその２辺Ａ、Ａ’が隅部の２辺上に位置するように貼付して前記（ａ）の工程を行う、表面仕上げ方法である。
【００１９】
（第９発明）
上記課題を解決するための本願第９発明の構成は、前記第６発明〜第８発明のいずれかに係る建築物の表面部位にモルタルないしモルタルを含む仕上げ材からなる既存の仕上げ層が存在する場合において、表装材に対するアンカーピンの打ち込み部位の数を前記仕上げ層の厚さの増大に応じて増やす、表面仕上げ方法である。
【００２０】
（第１０発明）
上記課題を解決するための本願第１０発明の構成は、前記第６発明〜第９発明のいずれかに係る建築物の表面部位の仕上げが、建築物の表面部位に既存の仕上げ層が存在し、かつ劣化した表面部位を含む改修である、表面仕上げ方法である。
【発明の効果】
【００２１】
本発明によれば、第１の表装材の重ね代部上に第２の表装材の化粧材部を重ねる状態で施工されるので、目地幅を開けるか否かに関わらず、下地が露出せず、防水性に優れた表面仕上げが可能となる。特に第８発明の表面仕上げによる場合は、垂直面又は傾斜面の下方の表装材の重ね代部上に垂直面又は傾斜面の上方の表装材が重なるので、降雨等に対する防水性がとりわけ優れている。
【００２２】
隣接する表装材は、一方の表装材の重ね代部に対して他方の表装材の裏面側に設けた粘着材部が接着されるので、表装材相互間の接着力が高い。表装材の重ね代部の表面側において、上記の粘着材部と対応する部位にも粘着材部を設けた場合、表装材相互間の接着力が更に高まる。しかも、表装材の重ね代部に対しては、他の表装材を重ねる前にアンカーピン等の表装材固定用具を打ち込むので、下地に対して強く固定され、かつ、他の表装材を重ねることにより固定用具が隠されるので、優れた外観が保たれる。
【００２３】
表装材固定用具は、重ね代部において、固定用具の打ち込み予定部をカバーする範囲に積層接着された補強用シートの部分に打ち込まれる。固定用具としてはワッシャ併用のアンカーピン等の任意の種類の固定用具を自由に選択して打ち込むことができ、これによって表装材に対して十分に強い固定力を実現できる。又、固定用具の打ち込み部は補強用シートの１枚又は２枚以上の積層接着で十分に補強されているので、非常に大きな引き裂き強度あるいはせん断強度を示し、大きな負荷に十分に耐える。更に、好ましくは、表装材に対するアンカーピンの打ち込み部位の数を、仕上げ層の厚さの増大に応じて増やす。従って、表面劣化したタイル壁やモルタル壁の改修においても、劣化した下地の部分的な浮きや剥落等を十分に防止できる。
【００２４】
補強用シートを、重ね代部のうち施工時において目地部となるべき部分を避けて積層接着させた場合、目地幅を開けるか否かに関わらず、目地部では補強用シートの積層構造となっていないので、表面仕上げの目地部における透湿性が確保される。
【００２５】
基材部が、化粧材部と合致する大きさの基材部本体と、この基材部本体を構成するシート材に対して別貼りのシート材を接着させることにより構成される重ね代部とからなる構成とした場合、表装材の製造工程においては、化粧材部と基材部本体が積層された大面積のシート体を製造して所要のサイズにカッティングすることにより、別貼りのシート材を未だ接着させていない状態の表装材を効率的に大量生産することができる。別貼りのシート材は、上記の表装材の大量生産の後に、あるいは施工現場において、基材部本体の裏側に接着させることができる。
【発明を実施するための最良の形態】
【００２６】
次に、本発明の実施形態をその最良の形態を含めて説明する。
【００２７】
〔表装材〕
本発明の表装材は、建築物の任意の表面部位に複数枚貼付して当該表面部位を仕上げるためのものである。ここにいう「建築物の任意の表面部位」とは、例えば建築物の壁部の外表面や内表面、床面等を指すが、これらに限定されない。
【００２８】
表装材は、少なくとも以下の（１）〜（５）の構成要素を備える。なお、第５発明に関して前記したように、表装材は、下記（２）に記載する別貼りのシート材を未だ接着させていない状態、及び／又は、重ね代部に対して下記（３）の補強用シートを未だ積層接着させていない「セット物」の状態で製造、流通、保管されても良い。
【００２９】
（１）装飾的外観を持ち矩形の平面形状を有する化粧材部。化粧材部は、天然石やその砕石，着色骨材，着色プラスチック粒，プラスチック砕粒を、合成樹脂エマルション，溶剤型合成樹脂，ホットメルト樹脂等により成形したものが適するが、ステンレスやアルミニウム薄板またはその上に塗装したものも利用できる。
【００３０】
化粧材部は、後述の基材部の表面側に塗装又は接着させてなる。例えば、建築用吹付材を基材部上に塗装することにより化粧材部とすることができる。基材部上への化粧材部の複合化については、目地兼重ね代部分を除く部分への張り合わせ、あるいは塗装によってなすことができる。
【００３１】
（２）シート状の基材部。この基材部は、隣接する２辺Ａ、Ａ’では化粧材部と端縁を揃えると共に他の隣接する２辺Ｂ、Ｂ’では重ね代部が張出した大きさを持つ。重ね代部は、目地部を兼ねる。基材部においては、４辺の端縁が化粧材部と合致した基材部本体に対して、その隣接する２辺Ｂ、Ｂ’に別貼りのシート材を接着させて重ね代部を構成しても良い。
【００３２】
この基材部あるいは別貼りのシート材の素材としては、不織布，ガラスクロス，セラミックペーパー，合成紙等を例示できる。これらのシート材としては、透湿性と、引き裂き強度あるいはせん断強度とを備えるものが好ましい。
【００３３】
（３）重ね代部の表側面又は裏側面において、アンカーピン等の表装材固定用具の打ち込み予定部をカバーする範囲に１枚又は２枚以上積層接着させた補強用シート。
【００３４】
補強用シートの積層枚数は、「表装材固定用具の打ち込み予定部における、必要なせん断強度の確保」という見地から、適宜に決定される。ここにいう「必要なせん断強度」は、本発明に係る表面仕上げ方法において施工完了後に表装材固定用具の打ち込み部に負荷する荷重との関係で相対的に決まるので、一律にせん断強度の値を規定することはできない。
【００３５】
補強用シートを重ね代部の裏側面に積層接着させる場合、重ね代部の表面側には、後述の粘着材部に対応する部位に他一方の粘着材部を設けることもできる。
【００３６】
補強用シートは、固定用具の打ち込み予定部をカバーする範囲に積層接着させる限りにおいて、その面積や平面形状は任意である。
【００３７】
ここにおいて、「表装材固定用具の打ち込み予定部をカバーする範囲」とは、少なくとも表装材固定用具の軸体が通過する部分及びその近傍部分をカバーする範囲を言う。この範囲は、例えば表装材固定用具がワッシャ併用型のアンカーピンや扁平なヘッドを備えるものである場合において、より好ましくは、これらのワッシャや扁平なヘッドの全体が当接する面積部分をカバーする範囲であるが、打ち込み予定部における必要なせん断強度が確保される限りにおいて、ワッシャ等の径よりも狭い範囲をカバーしていても良い。
【００３８】
補強用シートとしては、例えば、表装材固定用具の打ち込み幅をカバーする幅を持つ帯状のものを用いることが便宜である。「固定用具の打ち込み幅をカバーする幅」とは、例えば固定用具がワッシャを伴うものである場合は、より好ましくは、ワッシャの径と同等以上の幅であることをいう。
【００３９】
補強用シートは、重ね代部のうち施工時において目地部となるべき部分を避けて積層接着させることが好ましい。「目地部となるべき部分」とは、表装材の施工時において一定の目地幅を開ける場合にはその目地幅全体を指し、目地幅をとらない場合には目地としての表装材境界部を指す。補強用シートの素材としては、上記の基材部等の場合と同様のもので良いが、引き裂き強度あるいはせん断強度の特に大きいものが好ましい。
【００４０】
（４）基材部の裏面側に粘着材層を形成した粘着材部。粘着材部は、基材部の裏面側における２辺Ａ、Ａ’の端縁又はその近傍に沿って帯状に設けられる。粘着材部の幅は基材部の重ね代部の幅よりも狭いことが好ましいが、基材部の重ね代部の幅と同等又はそれ以上の幅であっても良い。粘着材部に用いる粘着材としては、アクリルゴム系あるいは非加硫ブチルゴム系のものが特に良く、他にもシリコーンゴム系，スチレンブタジエンゴム系，ポリイソプレン系，ポリビニルエーテル系等の粘着材を利用することができる。
【００４１】
（５）粘着材部を覆うように離型紙を貼付した離型紙部。この離型紙は、表装材の製造後、施工前において粘着材部を保護するためのものであり、施工時には所定の手順に従って剥がされる。離型紙は、粘着テープ，ラベル等に通常用いられる公知材料である。紙にフッ素樹脂，シリコーン樹脂等を塗布したものを利用すれば良い。
【００４２】
〔表装材の実施形態例〕
本発明に係る表装材を、図面に基づいて更に具体的に説明する。
【００４３】
図１は表装材１の正面図（表面図）を示す。表装材１の表面側においては、矩形の平面形状を有する化粧材部２がシート状の基材部３の表側の面上に形成されている。基材部３は、図の左側と下側との隣接する２辺Ａ、Ａ’では化粧材部２と端縁を揃えており、図の右側と上側との隣接する２辺Ｂ、Ｂ’では一定の幅に重ね代部４が張出している。化粧材部２の厚さは必要に応じて任意に設計される。基材部３の厚さは、化粧材部２に比べて十分に薄いことが好ましく、例えば２ｍｍ程度、又はそれ以下とされる。後述の補強用シートや別貼りのシート材も同等の厚さが好ましい。重ね代部４は、施工時いおいて目地ともなる部分であるが、その幅は、重ね代が十分に取れ、外壁表面に施工した場合の接着面積が確保されるようにすると、２０〜１００ｍｍが適当である。
【００４４】
この重ね代部４上には、粘着材層を帯状に形成した表側の粘着材部５を設けている。表側の粘着材部５は、表装材１の施工時において、隣接する表装材１の裏面側に設けた裏側の粘着材部（後述）と重なる部位に設けている。粘着材部５は離型紙７によって覆われ保護されているが、図１においては離型紙７の図示を省略する。
【００４５】
表装材１には、その裏面側において構成の異なる２つの実施形態がある。これらの実施形態を、表装材１の背面図（裏面図）である図２、図３と、図１のＸ−Ｘ線に沿う断面図である図４、図５によって説明する。断面図においては、図示の便宜上から、各部分の厚さを実際以上に誇張して示している。
【００４６】
まず、上記の第１の実施形態を図２と図４に示すが、基材部３の裏面側においては、前記２辺Ａ、Ａ’の端縁に沿って粘着材を塗布した裏側の粘着材部６と、この粘着材部６を覆うように離型紙を貼付した離型紙部７を備えている。図示の便宜上、離型紙部７の離型紙は一部切り欠き状態で示している。そして、基材部３の重ね代部４の裏面側には、固定用具の打ち込み予定部をカバーする範囲で、補強用シート８を積層接着させている。図示の実施形態においては固定用具は表装材１の１辺Ｂ側近傍の所定部分に打ち込む予定であるため、この部分をカバーする範囲に補強用シート８を積層接着させている。なお、補強用シート８は、図２に示すように、重ね代部４のうち施工時において目地部となるべき部分９を避けて積層接着させている。
【００４７】
次に、上記の第２の実施形態を図３と図５に示すが、上記第１の実施形態との相違点は、基材部３の重ね代部４が別貼りのシート材１０によって構成されている点である。この点を分かり易く示すために、図３においては、図２の場合と同様に設けている裏側の粘着材部６及び離型紙部７を省略して図示している。図３において、基材部３は、化粧材部２と合致する大きさの基材部本体３’と、この基材部本体３’を構成するシート材に対して別貼りのシート材１０を接着させることにより構成される重ね代部４とからなる。
【００４８】
〔表面仕上げ方法〕
本発明の表面仕上げ方法は、上記いずれかの表装材を複数枚用い、建築物における外壁の外表面や内表面、内壁の表面，床面等の任意の表面部位に、所望の目地幅を開けながら、又は目地幅をとらずに貼付して表面仕上げを行う仕上げ方法である。前記したように、本発明の表面仕上げ方法は、建築物の表面部位にタイル、モルタル等で表装された既存の仕上げ層が存在し、かつ、それらの表装が劣化した表面部位を含む改修としても、極めて好ましく行われる。ここに「表装が劣化した表面部位を含む改修」とは、表装が劣化した表面部位の改修と、表装が劣化した部位を一部に含む表面部位の改修とを包含する。
【００４９】
この表面仕上げ方法は下記の（ａ）〜（ｄ）の工程を含む。即ち、（ａ）の工程から始まり、次いで（ｂ）〜（ｄ）の順序の工程を繰り返すことにより行われる。実際には、上記の（ａ）の工程に先立って、アンカーピンの固定予定位置にピン孔を形成する工程を行う。アンカーピンの軸径（軸体の先端部分を拡開させるタイプでは拡開前の軸径）をＸｍｍとした場合、ピン孔の孔径は、通常、（Ｘ＋０．５〜２）ｍｍとすることが好ましい。又、アンカーピンの軸部根元形状がヘッド部に対してテーパ状を呈する場合、ピン孔の開口部をこれに適合するように形成し、打ち込まれたアンカーピンのヘッド部が壁面から浮いた状態とならないようにすることが好ましい。
【００５０】
（ａ）工程：離型紙を剥がした第１の表装材を建築物の表面部位に接着材を用いて貼付し、その重ね代部の補強用シート積層部にアンカーピンないし釘等の固定用具を打ち込んで表装材を固定する。
【００５１】
この（ａ）工程は、床面への施工においては上下がないので任意の隅から張り始めれば良いが、建築物の表面部位が例えば垂直な又は傾斜した壁面等のように高低差を持つ場合においては、下方の隅部から始めるのが好ましい。より正確に言えば、被施工面の右側下方あるいは左側下方の隅部に最初の表装材を貼付し、その際に表装材の２辺Ａ、Ａ’が隅部の２辺上に位置するように貼付することが好ましい。即ち、壁面の下部から張り始め、上部へ向かって張り上げることにより、下部シートの目地兼重ね代部分が、上部シートの粘着材部の下になるので、雨水等の侵入を有効に防止できる。
【００５２】
この（ａ）工程及び次の（ｂ）工程において表装材を建築物の表面部位に貼付するために用いる接着材としては、例えば合成ゴム系，酢酸ビニル系，ポリマーセメント系，アクリルゴム系など各種の接着材を使用できる。
【００５３】
（ｂ）工程：第１の表装材の２辺Ｂ、Ｂ’の重ね代部上に各１枚の第２の表装材の離型紙で保護された粘着材部を重ねる状態で、これらの第２の表装材を上記の目地設定のもとに接着材を用いて貼付する。
【００５４】
（ｃ）工程：第２の表装材の離型紙を剥がして、その粘着材部を第１の表装材の重ね代部に接着すると共に、第１の表装材における上記の固定用具打ち込み部を第２の表装材の化粧材部で覆う。このように、固定用具は、表装材の重ね代部分であり、かつ他の表装材により覆われる部分に用いるので、仕上げ面に表れることはない。
【００５５】
（ｄ）工程：これらの第２の表装材の重ね代部の補強用シート積層部に前記固定用具を打ち込んでこれらの表装材を固定する。
【００５６】
以上の（ａ）〜（ｄ）の工程により、施工直後からの表装材の完全接着が可能となり、表面仕上げがたとえタイル、モルタル等の劣化した表装面の改修であっても、表装材の落下や剥離の危険性がなくなった。図７では、このようにして施工する際の途中における正面図を示している。この図における例では、まず表装材１の大きさに応じて割り付けを行ない、下部より段ごとに目地兼重ね代部分が表に現われるようにして順に張り付けていく。表装材１の固定力強化のために打ち込まれた固定用具１１は、次に貼付される表装材１によって順次隠されていく。図示のものは、いわゆる「うま目地」による施工であるが、いわゆる「いも目地」による施工も可能である。
【００５７】
〔固定用具〕
本発明に係る表面仕上げ方法では、表装材を下地（建築物の表面部位）に接着するための接着材に加え、表装材を下地に対して強く固定するために固定用具を併用する。本発明に係る表面仕上げ方法においては、固定用具としてアンカーピンを用いる。
【００５８】
ワッシャを併用するアンカーピンの一例を、図６（ａ）〜図６（ｃ）に示す。このアンカーピン２０は、その軸体がスリーブ２１とピン２２とからなる二重構造であり、スリーブ２１にはスリット２３とフランジ２４が形成されている。そしてピン２２をスリーブ２１中に打撃して打ち込むと、スリーブ２１におけるスリット２３で分割された先端部分の内周に２段の高さに形成された凸部２５をピン２２が押し拡げ、そのためスリーブ２１の先端部分が拡開するようになっている。このアンカーピン２０は、使用時、軸体をワッシャ２６の中心孔２７に通し、ワッシャ併用型として用いることができる。
【００５９】
アンカーピンの種類としては図示のものに限定されず、いわゆる機械式定着型又は樹脂定着型の各種のアンカーピンを任意に選択して用いることができる。アンカーピンの形態としては、押さえワッシャを併用するタイプ、扁平なヘッドを備えるタイプ等を好ましく例示することができるが、これら以外のタイプのアンカーピンも用いることができる。上記した押さえワッシャを併用するタイプのアンカーピンとしては、ワッシャがアンカーピンと一体的に構成されているものや、別体のワッシャを挟み込んで使用するものがある。又、アンカーピンの軸体が二重構造であり、中心の軸体を打撃して打ち込むことにより外側の軸体の先端部分が拡開するタイプのアンカーピンを特に好ましく用いることができる。
【００６０】
アンカーピンの具体例としては、菊水化学工業（株）製のＭＡ専用アンカーピン、全国ビルリフォーム工事業共同組合が採用しているＧＮＳアンカーピン、（株）リノテック製のノックスアンカー、イープランナー（株）製のワッシャー付アンカー、サンコーテクノ（株）製のオールアンカー、日本ヒルティ（株）製のＡＳＡアルサスアンカー等を挙げることができる。
【００６１】
〔建築物躯体上に既存モルタル層等が存在する場合の表面処理〕
建築物壁面の躯体上に既存モルタル層等が存在する場合におけるアンカーピンの使用等について、以下に述べる。
【００６２】
このような場合、アンカーピンの長さは、「モルタル層等の厚さ＋２５ｍｍ」以上、あるいは、「モルタル層等の厚さ＋３０ｍｍ」程度であることが好ましい。
【００６３】
表装材に対するアンカーピンの打ち込み部位の数は、アンカーピンに対して予想される負荷の荷重に対応して増減することができる。
【００６４】
例えば第９発明において前記したように、建築物の表面部位にモルタルないしモルタルを含む仕上げ材からなる既存の仕上げ層が存在する場合において、表装材に対するアンカーピンの打ち込み部位の数を前記仕上げ層の厚さの増大に応じて増やすことができる。ここにおいて、「仕上げ材」とは、塗装仕上げとなる建築用仕上げ塗材あるいは左官仕上げとなる陶磁器タイルを含むものである。
【００６５】
なお、前記した補強用シートの積層枚数も、この荷重に対応して増減することができる。この荷重としては、本発明に係る表装材自体に起因するものと、既存モルタル層等に起因するものとが考えられるが、後者の要因が圧倒的に大きい。
【００６６】
本願発明者が行った実験によれば、建築物壁面の躯体上に１０ｃｍ未満の既存モルタル層が存在する表面部位に対して、平面寸法が６０ｃｍ×９０ｃｍである本発明の表装材を用いて表面仕上げする場合、各表装材に対するアンカーピンの打ち込み部位は２ケ所で足りる。上記の既存モルタル層の厚さが１０ｃｍ以上で３０ｃｍ未満である場合には、各表装材に対するアンカーピンの打ち込み部位は４ケ所とするのが適当である。
【００６７】
表装材に対するアンカーピンの打ち込み部位は、表装材の重ね代部の内の補強用シートを積層接着した部分であれば特段に限定されない。例えば、図７に関して前記した実施形態例の場合のように、重ね代部４の上辺の左右端部をアンカーピン打ち込み部位とすることができる。なお、図７では重ね代部４を上側と右側に位置するように貼り付けを行っているので、左側に位置する表装材の貼り付けを行い、次に右隣りの表装材を貼り付けた後、前記の左側表装材の上辺の右端部にアンカーピンの打ち込みを行う。このように一行分（横方向一列分）の表装材の貼り付けが終了した後、その上方に位置する表装材を貼り付けることで、上方の表装材により上記のアンカーピン位置は隠れることとなる。従って、図７に示す場合は各表装材に対するアンカーピンの打ち込み部位は、２ケ所である。又、表装材に対するアンカーピンの打ち込み部位を、例えば重ね代部の上辺の中央部としたり、又、重ね代部の上辺の左右端部及び中央部としたりする等のバリエーションを持たせることができる。これらの場合において、各表装材に対するアンカーピンの打ち込み部位の数は、いわゆる「うま目地」か「いも目地」かによっても異なる場合があり、煩雑であるため詳細な説明を省略する。
【実施例】
【００６８】
（実施例１：施工テスト）
本実施例では、この発明による表装材１を製作して施工テストを実施した。本実施例における表装材１では、ポリエステル製不織布の両面にアクリル樹脂ペイントをナイフコーターによりコーティングしたシートを基材部３とした。
【００６９】
化粧材部２は、基材部３の表側表面に目地兼重ね代部４を残して、下記の表１に示す「実施配合１」による塗料を吹付により塗装して形成させた。なお、表装材１の寸法は６０ｃｍ×９０ｃｍとし、目地兼重ね代部４は、塗装した不織布を露出させて、４ｃｍ幅とした。重ね代部４の裏側面には、ポリエステル製不織布からなる幅３．５ｃｍの帯状の補強用シート８を積層接着させた。表側の粘着材部５及び裏側の粘着材部６には、厚さ０．２ｍｍ、幅２ｃｍとした非加硫ブチルゴムシートを用いた。
【００７０】
このような表装材を６００枚製作し、コンクリートブロック造りで高さ２ｍの堀に前記図７のように施工して、施工性や納まりを確認した。
【００７１】
施工時の表装材１を下地に接着させるための接着材としては、下記の表２の「実施配合２」に示すポリマーセメントを用いた。また、被施工面はコンクリートブロック下地であるためアンカーを使用した。アンカーピンとしては、日本ヒルティ（株）製のＡＳＡアルサスアンカーを用いて施工を行った。
【００７２】
施工のプロセスは前記の第６発明に従ったものであるが、第６発明の（ａ）の工程に先立って、アンカーピンの固定予定位置にピン孔を形成する工程を行った。ピン孔の孔径は、上記アンカーピンの拡開前の軸径よりも０．５ｍｍ大きくした。
【００７３】
施工テストの結果は、心配されていたアンカーピンの頭部が表装材の表面に現れることもなく、接着材の厚みと、重ね代部分の厚みにより、ピン頭の厚みが吸収され、全く気にならない状態で表装材を張り上げることができた。また施工性についても、さほど手間がとられることもなく施工できた。
【００７４】
【表１】
0005395339.tif 000002
【００７５】
【表２】
0005395339.tif 000003
（実施例２：重ね代部の強度試験−１）
本実施例では、重ね代部に対する補強用シートの積層接着によるせん断強度の向上を確認するため、実施例１で前記した、ポリエステル製不織布の両面にアクリル樹脂ペイントをナイフコーターによりコーティングしたシート（以下、「ＭＡメジシート」と呼ぶ）が１枚のもの、及びこれを２枚重ね、３枚重ねとした試験体について最大引張力（Ｎ）を測定した。
【００７６】
ＭＡメジシートが１枚の場合は、重ね代部に補強用シートを積層接着させていない比較例に相当する。一方、ＭＡメジシートが２枚重ねの場合は、重ね代部に補強用シートを１枚積層接着させた実施例に相当する。ＭＡメジシートが３枚重ねの場合は、重ね代部に補強用シートを２枚積層接着させた実施例に相当する。
【００７７】
図８（ａ）及び図８（ｂ）に示すように、厚さ５０ｍｍのコンクリート板１２に
上記シートが１枚、２枚重ね、又は３枚重ねとなった試験体１３をワッシャー付きのアンカーピン１４で取り付けた。なお、試験体１３の一端側には、引張試験時にシート体である試験体１３を変形させない（面で均一に引張る状態を確保する）ため、接着剤でスレート板１５を接着させてある。
【００７８】
ワッシャー付きのアンカーピン１４としては、下記の（１）〜（３）に示すものを用いた。
（１）アンカーピンとしては菊水化学工業（株）製のＭＡ専用アンカーピン５５を用い、その専用ワッシャー（外径２５ｍｍ）を併用したもの。
（２）アンカーピンとしてはサンコーテクノ（株）製のオールアンカーＳＹ−６５０を用い、その専用ワッシャーＡ（外径２０ｍｍ）を併用したもの。
（３）アンカーピンとしてはサンコーテクノ（株）製のオールアンカーＳＹ−６５０を用い、その専用ワッシャーＢ（外径３０ｍｍ）を併用したもの。
【００７９】
以上について、引張試験機である（株）オリエンテック社製のＴＥＮＳＩＬＯＮ試験機ＵＣＴ−５００を用いて、引張速度５ｍｍ／ｍｉｎ．で最大引張力（Ｎ）を測定した。その結果を、表３に示す。
【００８０】
【表３】
0005395339.tif 000004
なお、いずれの試験体についても３個のサンプルを用いて試験しており、表３中における「試験体１〜試験体３」はそれら各サンプルの測定結果であり、「ＡＶＥ．」はそれらの平均値を示す。
【００８１】
表３のように、いずれの試験においても、比較例に対して実施例の測定結果が顕著に優れ、ＭＡメジシートの重ね枚数が多いほど、効果が顕著に向上していることが分かる。
【００８２】
なお、ワッシャー付きのアンカーピンの種類によって最大引張力（Ｎ）の絶対値には差異が認められる。その理由は次のように考えられる。
【００８３】
即ち、上記の各試験においては、アンカーピンの打ち込みのために、予め図９（ａ）の左側の図に示すようなストレートなピン孔を形成したが、これに対して、サンコーテクノ（株）製のオールアンカーは、アンカーピンの軸部根元形状がヘッド部に対してテーパ状を呈する。そのため、アンカーピンの打ち込み時において、図９（ｂ）の左側の図に示すように、アンカーピン１４のヘッド部がコンクリート板１２から浮いた（ワッシャの押さえが甘い）状態となっていたのである。この場合、図９（ａ）の右側の図に示すようなテーパ状の開口部を持つピン孔を形成しておけば、図９（ｂ）の右側の図に示すように、ワッシャの押さえの甘さを防止できる。
【００８４】
（実施例３：重ね代部の強度試験−２）
本実施例では、ワッシャー付きのアンカーピンとして、実施例２で最も好ましい結果を得た前記（１）に示すものを用いた場合に試験対象を絞り、ＭＡメジシートが１枚のもの、及びこれを２枚重ね、３枚重ね、４枚重ねとした試験体について最大引張力（Ｎ）を測定した。
【００８５】
ＭＡメジシートを２枚重ね、３枚重ね、４枚重ねとした試験体においては、シートの向き、シート同士の重ね方と接着方法を、実際の表面仕上げの施工時と同様になるように試験体を作製した。なお、いずれの試験体についても１５個のサンプルを用いて試験した。
【００８６】
これらの試験体について、実施例２の場合と同様に上記のワッシャー付きのアンカーピンで試験体をコンクリート板に取り付け、実施例２の場合と同じ引張試験機でを用いて、引張速度５ｍｍ／ｍｉｎ．で最大引張力（Ｎ）を測定した。その結果を、表４に示す。  表４では各試験体の１５個のサンプルの平均値を示している。、
【００８７】
【表４】
0005395339.tif 000005
表４のように、いずれの試験においても、比較例に対して実施例の測定結果が顕著に優れ、ＭＡメジシートの重ね枚数が多いほど、効果が顕著に向上していることが分かる。表４の結果において、各試験体の１５個のサンプル間に測定値の大きなバラツキはなく、許容応力度を平均値の１／３とすることした。
【産業上の利用可能性】
【００８８】
本発明によって、表装材の接着力を更に向上させ、より確実に下地に固定させて、表装材の落下、剥離の面からの安全性を高めた表装材が提供される。
【図面の簡単な説明】
【００８９】
【図１】表装材の例を示す正面図である。
【００９０】
【図２】第１の実施形態に関する図１の１部切り欠きにより示す背面図である。
【００９１】
【図３】第２の実施形態に関する図１の１部切り欠きにより示す背面図である。
【００９２】
【図４】第１の実施形態に関する図１のＸ−Ｘ線断面図である。
【００９３】
【図５】第２の実施形態に関する図１のＸ−Ｘ線断面図である。
【００９４】
【図６】ワッシャ併用型アンカーピンの一例を示す図であり、図６（ａ）はスリーブとピンとの分離した状態での斜視図を、図６（ｂ）はこれらの縦断面図を、図６（ｃ）は併用されるワッシャを、それぞれ示す。
【００９５】
【図７】施工例の正面図である。
【００９６】
【図８】実施例２の試験方法を示す図である。図８（ａ）が平面図を示し、図８（ｂ）がその中央縦断面図を示す。
【００９７】
【図９】ワッシャの押さえに対するピン孔形状の影響を示す図である。
【符号の説明】
【００９８】
１          表装材
２          化粧材部
３          基材部
４          重ね代部
５、６      粘着材部
７          離型紙部
８          補強用シート
１０        別貼りシート
２０        固定用具
【図１】
0005395339.tif 000006
【図２】
0005395339.tif 000007
【図３】
0005395339.tif 000008
【図４】
0005395339.tif 000009
【図５】
0005395339.tif 000010
【図６】
0005395339.tif 000011
【図７】
0005395339.tif 000012
【図８】
0005395339.tif 000013
【図９】
0005395339.tif 000014